(57)【要約】  【課題】  取付具の製造コストを下げること及び電柱とメッセンジャーワイヤ及び支線等との接続時間を短くすることができる支線取付具及び取付方法を提供する。  【解決手段】  電柱にメッセンジャーワイヤ又は支線を取り付けるために使用する取付具１であって、一方の端部に締付金具２ａが取り付けられたステンレスバンド２と、このステンレスバンド２の一部に取り付けられて一体化された支線用巻付グリップ３とを有する支線取付具。  【選択図】図１
2005102395.tif 000002
【特許請求の範囲】
【請求項１】
一方の端部に締付金具が取付けられたステンレスバンドの中間部に巻付けグリップ通し金具が設置されている通し金具付きバンドと、支線用巻付グリップとを使用する方法であって、前記通し金具付きバンドを前記締付金具によって電柱に取付ける第１の工程と、前記巻付グリップを前記巻付グリップ通し金具に通す第２の工程と、該巻付グリップをメッセンジャーワイヤ又は支線に巻付ける第３の工程とを有することを特徴とする支線取付方法。
【請求項２】
一方の端部に締付金具が取付けられたステンレスバンドの中間部に巻付グリップ通し金具が設置されている通し金具付きバンドと、支線用巻付グリップとを使用する方法であって、前記巻付グリップを前記巻付グリップ通し金具に通す第１の工程と、前記巻付グリップを電柱に仮止めする第２の工程と、前記通し金具付きバンドを前記締付金具によって電柱に取付ける第３の工程と、前記巻付グリップをメッセンジャーワイヤ又は支線に巻付ける第４の工程とを有することを特徴とする支線取付方法。
【請求項３】
電柱にメッセンジャーワイヤ又は支線を取り付けるために使用する取付具であって、一方の端部に締付金具が取付けられたステンレスバンドと、該ステンレスバンドの一部に取り付けられて一体化された支線用巻付グリップとを有することを特徴とする支線取付具。
【発明の詳細な説明】
【技術分野】
【０００１】
本発明は、メッセンジャーワイヤ及び支線等を電柱に接続するための方法及び、これに使用する支線取付具に関するものである。
【背景技術】
【０００２】
電柱間にメッセンジャーワイヤを張り渡す際に電柱とメッセンジャーワイヤとを接続する方法として、従来は図７に示す取付具が用いられている。この取付具１Bは、支線バンド６と、シンブル７と、巻付グリップ３とからなるものである。
【０００３】
そして、支線バンド６はバンド片６ａと補助バンド片６ｂ，６ｂとを接続ボルト６ｃによって接続することによって、径の異なる電柱に対応することができるようにしてあり、両補助バンド片６ｂ，６ｂの先端間にシンブル７を挿入し、ボルト８を貫通するようにして固定されるものである（特許文献１参照）。
【０００４】
そして、この取付具は図８及び図９に示す方法によって使用されるのである。
【０００５】
即ち先ず、取り付けるべき電柱の径に対応させるように支線バンド６の寸法を調整した後、両バンド片６ｂ，６ｂの先端間にシンブル７を挿入する（図８ａ）。
【０００６】
次に、電柱４に支線バンド６を取り付ける（図８ｂ）。
【０００７】
さらに、シンブル用巻付グリップ３をシンブル７（図示せず。）に挿入する（図９ａ）。
【０００８】
最後に、巻付グリップ３をメッセンジャーワイヤ５に巻付けて電柱４とメッセンジャーワイヤ５との接続が完了するのである（図９ｂ）。
【特許文献１】特許第２９３８８０２号公報
【発明の開示】
【発明が解決しようとする課題】
【０００９】
しかしながら上記方法では取付具の製造コストが高くなること、作業者が電柱に登ってからの取付作業に時間がかかること等の理由から製造コスト及び取付コストが高くなっていた。
【００１０】
本発明は上記点に鑑み、取付具の製造コストを下げること及び電柱とメッセンジャーワイヤ及び支線等との接続時間を短くすることができる支線取付具及び取付方法を提供することを目的とする。
【課題を解決するための手段】
【００１１】
上記課題を解決するため、請求項１の支線取付方法の発明は、一方の端部に締付金具が取付けられたステンレスバンドの中間部に巻付グリップ通し金具が設置されている通し金具付きバンドと、支線用巻付グリップとを使用する方法であって、前記通し金具付きバンドを前記締付金具によって電柱に取付ける第１の工程と、前記巻付グリップを前記巻付グリップ通し金具に通す第２の工程と、該巻付グリップをメッセンジャーワイヤ又は支線に巻付ける第３の工程とを有することに特徴を有する。
【００１２】
請求項２の支線取付方法の発明は、一方の端部に締付金具が取付けられたステンレスバンドの中間部に巻付グリップ通し金具が設置されている通し金具付きバンドと、支線用巻付グリップとを使用する方法であって、前記巻付グリップを前記巻付グリップ通し金具に通す第１の工程と、前記巻付グリップを電柱に仮止めする第２の工程と、前記通し金具付きバンドを前記締付金具によって電柱に取付ける第３の工程と、前記巻付グリップをメッセンジャーワイヤ又は支線に巻付ける第４の工程とを有することに特徴を有する。
【００１３】
請求項３の支線取付具の発明は、電柱にメッセンジャーワイヤ又は支線を取り付けるために使用する取付具であって、一方の端部に締付金具が取付けられたステンレスバンドと、該ステンレスバンドの一部に取り付けられて一体化された支線用巻付グリップとを有することに特徴を有する。
【発明の効果】
【００１４】
請求項１の支線取付方法の発明は、一方の端部に締付金具が取付けられたステンレスバンドの中間部に巻付グリップ通し金具が設置されている通し金具付きバンドと、支線用巻付グリップとを使用する方法であって、前記通し金具付きバンドを前記締付金具によって電柱に取付ける第１の工程と、前記巻付グリップを前記巻付グリップ通し金具に通す第２の工程と、該巻付グリップをメッセンジャーワイヤ又は支線に巻付ける第３の工程とを有することに特徴を有するので、従来の方法と比較して、電柱と支線との接続時間を短くすることができる。実際に同一の作業者によって、従来の方法と、上記請求項１の発明による方法との作業時間を測定した結果、従来の方法では１１分２６秒かかっていたものが、請求項１の発明による方法では７分５１秒に短縮することができた（約３０％の時間短縮）。
【００１５】
請求項２の支線取付工法の発明は、一方の端部に締付金具が取付けられたステンレスバンドの中間部に巻付グリップ通し金具が設置されている通し金具付きバンドと、支線用巻付グリップとを使用する方法であって、前記巻付グリップを前記巻付グリップ通し金具に通す第１の工程と、前記巻付グリップを電柱に仮止めする第２の工程と、前記通し金具付きバンドを前記締付金具によって電柱に取付ける第３の工程と、前記巻付グリップをメッセンジャーワイヤ又は支線に巻付ける第４の工程とを有することに特徴を有するので、従来の方法と比較して作業時間を短縮することができると共に、支線が太い径の大重量のものであっても弛むことなく張設することができる。
【００１６】
請求項３の支線取付具の発明は、電柱にメッセンジャーワイヤ又は支線を取り付けるために使用する取付具であって、一方の端部に締付金具が取付けられたステンレスバンドと、該ステンレスバンドの一部に取り付けられて一体化された支線用巻付グリップとを有することに特徴を有するので、従来の取付具と比較して低コストで製造することができる。
【発明を実施するための最良の形態】
【００１７】
次に、本発明の実施形態を図面に基づいて説明する。図１は本発明の第１の実施形態による支線取付具の全体を示す説明図である。この支線取付具１は一方の端部に締付金具２ａが取付けられたステンレスバンド２と、このステンレスバンド２の中間部に取り付けられているグリップ通し金具２ｂによって一体化された支線用巻付グリップ３とから構成されている。ここで、締付金具２ａはラチェット機構を備えるものであってもよいし、ステンレスバンド２の他方の端部を、複数の巻付軸によって形成される複数の挿入孔に挿入し、巻付軸に巻き回して固定する機構（図示せず）を備えるものであってもよい。
【００１８】
次に、上記支線取付具を用いた取付方法について図２に基づいて説明する。先ず、図２（ａ）に示すように支線用巻付グリップ３を電柱４に仮止めする。
【００１９】
その後、図２（ｂ）に示すようにステンレスバンド２の一方の端部に取付られた締付金具２ａ（図示せず。）に他方の端部を通して電柱４にステンレスバンド２を取付ける。
【００２０】
最後に、図２（ｃ）に示すように支線用巻付グリップ３を両側からメッセンジャーワイヤ５に巻付けることによって、メッセンジャーワイヤ５と電柱４との接続が完了するのである。
【００２１】
図３は本発明の第２の実施形態による支線取付具の全体を示す説明図である。この取付具１Ａは第１の実施形態の取付具１のようにステンレスバンド２と支線用巻付グリップ３とが一体化されてはおらず、別体となっていて、巻付グリップ３ａは電柱４の円周上に２回巻付けることができるように第１の実施形態のものよりも長尺になっている。また、ステンレスバンド２Ａの中間部にはグリップ通し金具２ｂが取付られている。
【００２２】
次に、上記第２の実施形態の取付具を用いた取付方法について図４及び図５に基づいて説明する。
【００２３】
先ず、図４（ａ）に示すように第１の実施形態と同様にして電柱４にステンレスバンド２Ａを取付ける。
【００２４】
その後、図４（ｂ）に示すように支線用巻付グリップ３ａをグリップ通し金具２ｂに通す（１回目）。
【００２５】
さらに、図５（ａ）に示すように支線用巻付グリップ３ａをグリップ通し金具２ｂに通す（２回目）。
【００２６】
最後に、図５（ｂ）に示すように支線用巻付グリップ３ａを両側からメッセンジャーワイヤ５に巻付けることによって、メッセンジャーワイヤ５と電柱４との接続が完了するのである。
【００２７】
尚、本発明の趣旨を逸脱しない範囲において、種々の実施形態をとるこができることは言うまでもない。上記実施形態では電柱４，４間に張り渡すメッセンジャーワイヤ５について説明しているが、これに限定されるものではなく、例えば、図６に示すように電柱４を支える斜め支線５ａを電柱４に取付ける場合に本発明の支線取付具１又は１Ａを使用することもできるのであり、この他にも水平支線等の種々の支線を電柱４に取付けるために利用することができるのである。
【図面の簡単な説明】
【００２８】
【図１】本発明の第１の実施形態による支線取付具の全体を示す説明図である。
【図２】本発明の第１の実施形態による支線取付方法を示す説明図である。
【図３】本発明の第２の実施形態による支線取付具の全体を示す説明図である。
【図４】本発明の第２の実施形態による支線取付方法を示す説明図である。
【図５】本発明の第２の実施形態による支線取付方法を示す説明図である。
【図６】本発明を斜め支線に適用した場合を示す説明図である。
【図７】従来の支線取付具の全体を示す説明図である。
【図８】従来の支線取付方法を示す説明図である。
【図９】従来の支線取付方法を示す説明図である。
【符号の説明】
【００２９】
１  支線取付具
２  ステンレスバンド
３  支線用巻付けグリップ
４  電柱
５  メッセンジャーワイヤ
６  支線バンド
７  シンブル
【図１】
2005102395.tif 000003
【図２】
2005102395.tif 000004
【図３】
2005102395.tif 000005
【図４】
2005102395.tif 000006
【図５】
2005102395.tif 000007
【図６】
2005102395.tif 000008
【図７】
2005102395.tif 000009
【図８】
2005102395.tif 000010
【図９】
2005102395.tif 000011